(57)【要約】【課題】より安定して添加成分を水に混合することのできる水処理用添加部材および水処理装置を得る。【解決手段】フィルム基材１の表面１ａにペースト状の添加成分２を積層することで形成した添加ユニット３を用い、添加成分２をより安定して水に混合させることができるようにした。【選択図】図５
2010274154.tif 000002
【特許請求の範囲】
【請求項１】
原水に添加成分を混合して活水化する水処理用添加部材において、
前記水処理用添加部材は、基材表面にペースト状の添加成分を積層して形成された添加ユニットを少なくとも１つ有することを特徴とする水処理用添加部材。
【請求項２】
前記基材として非透水性の可撓性フィルムを用い、
前記添加ユニットを複数積層したことを特徴とする請求項１に記載の水処理用添加部材。
【請求項３】
前記添加ユニットの添加成分が露出している部位を被覆材で被覆したことを特徴とする請求項１または請求項２に記載の水処理用添加部材。
【請求項４】
前記基材に、基材と添加成分とを剥離させる剥離手段を設けたことを特徴とする請求項２または請求項３に記載の水処理用添加部材。
【請求項５】
請求項１〜４のうちいずれか１項に記載の水処理用添加部材を用いたことを特徴とする水処理装置。
【発明の詳細な説明】
【技術分野】
【０００１】
本発明は、水処理用添加部材およびその添加部材を用いた水処理装置に関する。
【背景技術】
【０００２】
従来、水処理装置として、流水路の途中にミネラル添加室を設け、当該ミネラル添加室内に加熱処理した珊瑚の粉体を充填して水を通過させることで水にカルシウム成分を添加するものが知られている（例えば、特許文献１参照）。
【先行技術文献】
【特許文献】
【０００３】
【特許文献１】特開２００２−２８２８７０号公報
【発明の概要】
【発明が解決しようとする課題】
【０００４】
しかしながら、かかる従来の技術では、珊瑚の粉体に水を接触させることでカルシウム成分を添加しているため、通水速度や水温が変化するとカルシウムの添加量が変化してしまい、カルシウムを安定して供給することが難しかった。
【０００５】
また、長期間水に接触しているうちに、カルシウム粉体部分や構造材に雑菌が繁殖し、不衛生になる可能性があった。
【０００６】
そこで、本発明は、より安定して添加成分を水に混合することのできる水処理用添加部材および水処理装置を得ることを目的とする。
【課題を解決するための手段】
【０００７】
請求項１の発明にあっては、原水に添加成分を混合して活水化する水処理用添加部材において、前記水処理用添加部材は、基材表面にペースト状の添加成分を積層して形成された添加ユニットを少なくとも１つ有することを特徴とする。
【０００８】
請求項２の発明にあっては、請求項１に記載の水処理用添加部材において、前記基材として非透水性の可撓性フィルムを用い、前記添加ユニットを複数積層したことを特徴とする。
【０００９】
請求項３の発明にあっては、請求項１または請求項２に記載の水処理用添加部材において、前記添加ユニットの添加成分が露出している部位を被覆材で被覆したことを特徴とする。
【００１０】
請求項４の発明にあっては、請求項２または請求項３に記載の水処理用添加部材において、前記基材に、基材と添加成分とを剥離させる剥離手段を設けたことを特徴とする。
【００１１】
請求項５の発明にあっては、請求項１〜４のうちいずれか１項に記載の水処理用添加部材を用いた水処理装置である。
【発明の効果】
【００１２】
請求項１の発明によれば、基材表面にペースト状の添加成分を積層して添加ユニットを形成することで、添加成分をより容易に溶解させることができ、ペースト状の添加成分が溶解せずに基材に残存してしまうのを抑制することができる。その結果、ほぼ一定量の添加成分を水に供給することが可能となり、より安定して添加成分を水に混合することができる。
【００１３】
請求項２の発明によれば、基材として非透水性の可撓性フィルムを用い、当該可撓性フィルムにペースト状の添加成分を積層した添加ユニットを複数積層して形成した水処理用添加部材を用いることで、添加成分の水への混合を複数回行うことができるようになる。
【００１４】
請求項３の発明によれば、添加ユニットの添加成分が露出している部位を被覆材で被覆するようにしたため、添加成分が雑菌等に汚染されてしまうのを抑制することができる。
【００１５】
請求項４の発明によれば、基材と添加成分とを容易に剥離させることができる。
【００１６】
請求項５の発明によれば、より安定して添加成分を水に混合することのできる水処理装置を得ることができる。
【図面の簡単な説明】
【００１７】
【図１】図１は、本発明の一実施形態にかかる水処理用添加部材を模式的に示す断面図である。
【図２】図２は、水処理用添加部材の製造方法を模式的に示す図であって、（ａ）は、添加ユニットを示す断面図、（ｂ）は、添加ユニットを複数積層する状態を示す断面図、（ｃ）は、添加成分の露出部位に被覆材を被覆する状態を示す断面図である。
【図３】図３は、本発明の一実施形態にかかる水処理用添加部材を示す断面図である。
【図４】図４は、図３に示す水処理用添加部材の一部を拡大した断面図である。
【図５】図５は、本発明の一実施形態にかかる水処理装置を示す断面図である。
【図６】図６は、本発明の一実施形態の変形例にかかる水処理用添加部材の一部を拡大した断面図である。
【発明を実施するための形態】
【００１８】
以下、本発明の実施形態について図面を参照しつつ詳細に説明する。
【００１９】
まず、添加部材（水処理用添加部材）６の概要を説明する。
【００２０】
本実施形態にかかる添加部材（水処理用添加部材）６は、非透水性の柔軟なフィルム基材（基材）１の表面１ａにペースト状の添加成分２を積層することで形成される添加ユニット３を有しており、この添加ユニット３を複数個（本実施形態では２個）積層することで形成される添加ユニット積層体４のうち添加成分２が露出している露出部位２ａを被覆材５で覆うことで形成されている。
【００２１】
フィルム基材１を形成する材料は、添加成分２を塗布することができること、空気は通すが水は通さないこと、人体に悪影響を与えることなく安全性が高いこと、添加成分２との親和性が低く剥離させやすいこと、の４点を満たしているのが好ましい。
【００２２】
本実施形態では、このフィルム基材１として、ポリエチレン樹脂（ＰＥ）フィルムを用いている。なお、フィルム基材１として、ポリプロピレン（ＰＰ）樹脂フィルムやポリエチレンテレフタレート（ＰＥＴ）樹脂フィルム等の高分子フィルムを用いることも可能である。
【００２３】
また、本実施形態では、フィルム基材１を被覆材５として用いている。
【００２４】
添加成分２については、水に溶けることで何らかの機能を発揮する成分（例えば、カルシウム等の飲料可能な有用成分）を含有していること、水溶性でペースト状にできること、人体に悪影響を与えることなく安全性が高いこと、変質しにくいこと、の４点を満たすものを用いるのが好ましい。
【００２５】
本実施形態では、添加成分２として、ポリビニルアルコール（ＰＶＡ）などのポリマーにカルシウム成分を混合したものを用いている。なお、カルシウム成分をペースト状にするために、カラギーナン、グアーガム、アルギン酸ナトリウム等のゲル化剤を混合させるのが好ましい。このとき、フィルム基材１との親和性が低い素材を選定するのが好適である。
【００２６】
また、この添加成分２に含有される成分は、カルシウム剤、プラチナ剤等の無機素材やクエン酸、アスコルビン酸、コエンザイムなど、上記４点を満たすものであればよく、これらを組み合わせたものでもよい。例えば、グリセロリン酸カルシウムにコラーゲンを混合したペースト状物や、乳酸カルシウムに寒天を混合したペースト状物をフィルム基材１に積層するようにしてもよい。
【００２７】
次に、添加部材６の製造方法について説明する。
【００２８】
まず、図２（ａ）に示すように、非透水性の柔軟なフィルム基材１の表面１ａにペースト状にした添加成分２をコーティングすることで添加ユニット３を形成する。このとき、有用成分が水に所望量溶出するのに必要な量の添加成分２を塗布する。また、添加成分２が水に溶出しやすくなるように添加成分２をフィルム基材１の表面１ａに薄くコーティングするのが好ましい。
【００２９】
次に、添加ユニット３を複数形成し、ペースト状の添加成分２が完全に乾燥してしまう前に、図２（ｂ）に示すように、フィルム基材１の層と添加成分２の層とが交互に重なるように添加ユニット３を積層することで添加ユニット積層体４を形成する。
【００３０】
なお、添加ユニット積層体４は、添加ユニット３を複数個形成した後にそれらを積層するのではなく、フィルム基材１の表面１ａに添加成分２を塗布し、当該添加成分２の表面にフィルム基材１を貼り付ける作業を繰り返すことで形成するようにしてもよい。
【００３１】
そして、添加ユニット積層体４のうち添加成分２が露出している露出部位２ａを、図２（ｃ）に示すように、被覆材５で覆うことで添加部材６を形成している。
【００３２】
なお、フィルム基材１を所望の形状とすることで、様々な形状の添加部材６を形成することができる。
【００３３】
次に、添加部材６を用いた水処理装置１０について説明する。
【００３４】
本実施形態にかかる水処理装置１０は、図５に示すように、水容器８と、その内面に取り付けられた添加部材６とを備えている。
【００３５】
本実施形態にかかる水容器８は、断面略楕円状をしており、底部８ａから上端の注ぎ口８ｂに向かって拡幅するテーパ状のポット形をしている。そして、水容器８の長軸方向の一方側（図５中右側）側面の上部には取手８ｃが設けられており、長軸方向の他方側（図５中左側）が水の注ぎ方向（矢印ａ）となっている。このように、水容器８の断面を扁平な楕円形状とすることにより、冷蔵庫のドア側収納部へ容易に収納できるようにしている。なお、注ぎ口８ｂは、開閉自在な蓋やキャップで覆われることが好ましい。
【００３６】
また、本実施形態にかかる添加部材６は、図３に示すように、底部から上端に向かって拡幅するテーパ状のポット形に形成したフィルム基材１に添加成分２を塗布して形成した添加ユニット３を複数積層することで形成されている。すなわち、水容器８の形状に対応した形状となるように添加部材６を形成している。
【００３７】
なお、本実施形態では、添加部材６の最外面に添加部材６の形状に対応した形状の補強部材７を設けることで、添加部材６が型くずれしてしまうのを抑制している。
【００３８】
この補強部材７も、フィルム基材１と同様に、空気は通すが水を通さず、人体に悪影響を与えることのない安全性が高い素材を用いるのが好ましい。このように空気と通す素材を用いることで、後述する水容器８に添加部材６を貼り付ける際にエア溜まり等が形成されてしまうのを抑制することができる。
【００３９】
また、本実施形態では、添加部材６の被覆材５の上端および添加部材６のうち最下層の添加ユニット３を除く添加ユニット３のフィルム基材（本実施形態では、上側の添加ユニット３のフィルム基材）１の上端部が当該被覆材５およびフィルム基材１の下表面に当接している添加成分２の露出部位（本実施形態では上面）を覆っている。さらに、この被覆材５およびフィルム基材１の上端には、つまみ部（剥離手段）９が設けられており、このつまみ部９をつまんで引っ張ることで被覆材５およびフィルム基材１をそれらの下面に当接する添加成分２から剥離させ易くしている。
【００４０】
そして、補強部材７によって補強された添加部材６を補強部材７の外表面が水容器８の内面に貼り付けることで水処理装置１０を形成している。
【００４１】
なお、添加部材６の水容器８への取り付け方法は、上記のものに限定されるものではない。例えば、水容器８と同じ素材のフィルムを用い、水容器８の成形と同時に添加部材６と水容器８とを一体化させることも可能である。
【００４２】
そして、このような水処理装置１０を用いることで、ほぼ一定量の添加成分が溶出された水を得ることができる。
【００４３】
具体的には、まず、被覆材５のつまみ部９をつまんで、被覆材５を上側の添加ユニット３の添加成分２から剥離させて、この添加成分２を露出させる。
【００４４】
そして、この状態で、水容器８内に上側の添加ユニット３の添加成分２全体が浸漬されるように水を注水することで、水容器８内に露出した添加成分２が注入した水と接触して溶解し、原水と混合して活水化する。このとき、下側の添加ユニット３の添加成分２は、上側の添加ユニット３の非透水性のフィルム基材１によって被覆されているため、水容器８内に注入した水と接触することがない。そのため、上側の添加ユニット３の添加成分２のみを溶解させることができる。
【００４５】
こうして、所望量の添加成分を混合した活水を得ることができる。
【００４６】
そして、水容器８内の活水がなくなった場合、上側の添加ユニット３のフィルム基材１のつまみ部９をつまんで、フィルム基材１を下側の添加ユニット３の添加成分２から剥離させて、この添加成分２を露出させ、上記と同様の作業を行うことで、水容器８に注水した原水を活水化することができる。また、添加部材６の添加成分２がなくなった場合には、新しい添加部材６を貼り付けて上記作業を行うことで、繰り返して活水を得ることができるようになる。
【００４７】
以上の本実施形態によれば、フィルム基材（基材）１の表面１ａにペースト状の添加成分２を積層して添加ユニット３を形成することで、添加成分２をより容易に溶解させることができ、ペースト状の添加成分２が溶解せずにフィルム基材（基材）１に残存してしまうのを抑制することができる。その結果、ほぼ一定量の添加成分２を水に供給することが可能となるため、より安定して添加成分２を水に混合させることができ、ほぼ一定濃度の活水を得ることができるようになる。
【００４８】
また、非透水性の可撓性フィルムを用いてフィルム基材（基材）１を形成し、当該フィルム基材（基材）１にペースト状の添加成分２を積層した添加ユニット３を複数積層して添加ユニット積層体４を形成し、かかる添加ユニット積層体４を有する添加部材（水処理用添加部材）６を用いることで、添加成分２の水への混合を複数回行うことができるようになる。
【００４９】
また、添加ユニット３の添加成分２の露出部位２ａを被覆材５で被覆するようにしたため、添加成分２が空気等にさらされることがなくなり、雑菌、ゴミ等によって添加成分２が汚染されてしまうのを抑制することができる。
【００５０】
また、被覆材５およびフィルム基材１の上端に、つまみ部（剥離手段）９を設けたため、被覆材５およびフィルム基材（基材）１をそれらの下面に当接する添加成分２から容易に剥離させることができる。
【００５１】
また、本実施形態にかかる添加部材（水処理用添加部材）６を用いることで、より安定して添加成分２を水に混合することのできる水処理装置１０を得ることができる。
【００５２】
次に、本実施形態の変形例を説明する。
【００５３】
本変形例にかかる添加部材６Ａは、基本的に上記第１実施形態とほぼ同様であり、複数の添加ユニット３を積層することで形成されており、水容器８内に貼り付けることで水処理装置１０を形成している。
【００５４】
ここで、本変形例が上記第１実施形態と主に異なる点は、図６に示すように、被覆材５Ａおよび添加部材６Ａのうち最下層の添加ユニット３を除く添加ユニット３のフィルム基材（本実施形態では、上側の添加ユニット３のフィルム基材）１Ａの底面部分に、つまみ部９Ａを設けたことにある。
【００５５】
具体的には、上側の添加ユニット３のフィルム基材１Ａをつまみ部９Ａが形成されるように折り曲げた状態で、その表面に添加成分２をコーティングすることで添加部材６Ａ形成当初はつまみ部９Ａが外部に露出しないようにしている。
【００５６】
なお、被覆材５Ａのつまみ部９Ａは、添加部材６Ａ形成当初から外部に露出している。
【００５７】
そして、被覆材５Ａを上側の添加ユニット３の添加成分２から剥離させ、水容器８に注入した水によって上側の添加ユニット３の添加成分２が溶解すると、上側の添加ユニット３のフィルム基材１Ａのつまみ部９Ａが水容器８に露出するようにしている。
【００５８】
以上の本変形例によっても、上記第１実施形態と同様の作用、効果を奏することができる。
【００５９】
さらに、添加部材６Ａ形成当初はつまみ部が外部に露出していないため、形成当初の添加部材６Ａの見栄えを向上させることができるという利点がある。
【００６０】
以上、本発明の好適な実施形態について説明したが、本発明は上記実施形態には限定されず、種々の変形が可能である。
【００６１】
たとえば、上記実施形態およびその変形例においては、添加部材として添加ユニットを複数積層させたものを例示しているが、添加部材を１つの添加ユニットで形成し、１回毎に取り替えるようにしてもよい。
【００６２】
また、１つの添加ユニットで添加部材を形成する場合、例えば、透水性を有するフィルタ（基材）の表面（片面でも両面でもよい）にペースト状の添加成分をコーティングしたものを浄水カートリッジの濾過部材として用い、水を濾過する際に添加成分を添加するようにすることも可能である。
【００６３】
また、ポット型の水容器だけでなく配管内に添加部材を配置したものを水道水の蛇口に接続して活水を得るようにすることも可能である。
【符号の説明】
【００６４】
１、１Ａ  フィルム基材（基材）
１ａ  表面
２  添加成分
２ａ  露出部位
３  添加ユニット
４  添加ユニット積層体
５、５Ａ  被覆材
６、６Ａ  添加部材（水処理用添加部材）
９、９Ａ  つまみ部（剥離手段）
１０  水処理装置
【図１】
2010274154.tif 000003
【図２】
2010274154.tif 000004
【図３】
2010274154.tif 000005
【図４】
2010274154.tif 000006
【図５】
2010274154.tif 000007
【図６】
2010274154.tif 000008